(57)【要約】【課題】フリーアクセスフロアのフロアパネルの支持脚のレベル設定作業において、作業者の身体への負担を軽減し、作業効率を向上させると共に、装置自体のコスト増加を防止することができる支持脚レベル設定器を提供する。【解決手段】基礎床３に立設されたフリーアクセスフロア６のフロアパネル４の支持脚２のパネル支持台１４に係合してこれを回転させる係合部材４３と、係合部材４３を回転させる駆動部４７を有する本体部４１と、駆動部４７へ動力を供給し、駆動部４７の動作を制御する動力操作部４２と、本体部４１と動力操作部４２を接続する接続ケーブル４５と、を備え、係合部材４３が回転することにより、支持脚２のパネル支持台１４が上下移動するように構成された。【選択図】図１
2020105873.tif 000002
【特許請求の範囲】
【請求項１】
基礎床に立設されたフリーアクセスフロアのフロアパネルの支持脚のパネル支持台に係合してこれを回転させる係合部材と、
前記係合部材を回転させる駆動部を有する本体部と、
前記駆動部へ動力を供給し、前記駆動部の動作を制御する動力操作部と、
前記本体部と前記動力操作部を接続する接続ケーブルと、を備え、
前記係合部材が回転することにより、前記支持脚の前記パネル支持台が上下移動するように構成された
ことを特徴とする支持脚レベル設定器。
【請求項２】
前記本体部は、
鉛直上下方向に伸びる支柱と、
前記駆動部を有し、前記支柱に沿って鉛直上下方向に移動可能に設けられた可動部と、を備え、
前記係合部材が前記支持脚の前記パネル支持台に係合された状態で、前記支柱の下端部が前記基礎床に当接するように前記支柱が立設されるように構成された
ことを特徴とする請求項１に記載の支持脚レベル設定器。
【請求項３】
前記可動部は、
レーザー光を受光した時に、前記動力操作部に対して前記係合部材の回転を停止させる信号を出力する第１受光部と、
前記第１受光部に対して鉛直上方向に所定の間隔をおいて離れた位置に設けられ、前記レーザー光を受光した時に、前記動力操作部に対して前記係合部材の回転を変化させる信号を出力する第２受光部と、を有するセンサー部を備え、
前記駆動部は、前記係合部材を異なる回転速度で回転させることができ、
前記動力操作部は、前記センサー部からの信号に応じて前記駆動部を制御し、
前記係合部材が異なる回転速度で回転することにより、前記支持脚の前記パネル支持台が異なる速度で上昇するように構成された
ことを特徴とする請求項２に記載の支持脚レベル設定器。
【請求項４】
前記可動部は、
レーザー光を受光した時に、前記動力操作部に対して前記係合部材の回転を変化させる信号を出力する第１受光部と、
前記第１受光部に対して鉛直上方向に所定の間隔をおいて離れた位置に設けられ、前記レーザー光を受光した時に、前記動力操作部に対して前記係合部材の回転を停止させる信号を出力する第２受光部と、を有するセンサー部を備え、
前記駆動部は、前記係合部材を異なる回転速度で回転させることができ、
前記動力操作部は、前記センサー部からの信号に応じて前記駆動部を制御し、
前記係合部材が異なる回転速度で回転することにより、前記支持脚の前記パネル支持台が異なる速度で下降するように構成された
ことを特徴とする請求項２に記載の支持脚レベル設定器。
【請求項５】
前記係合部材の回転を変化させる信号は、前記係合部材の回転を減速させる信号である
ことを特徴とする請求項３又は４に記載の支持脚レベル設定器。
【請求項６】
前記動力操作部には、作業者が前記動力操作部を装着するための装着具が設けられた
ことを特徴とする請求項１から５のいずれかに記載の支持脚レベル設定器。
【請求項７】
前記支柱には、前記支柱の傾きを検知するための水準器が設けられた
ことを特徴とする請求項２から６のいずれかに記載の支持脚レベル設定器。
【請求項８】
前記支柱の下端部には、略球形の接地部が設けられた
ことを特徴とする請求項２から７のいずれかに記載の支持脚レベル設定器。
【発明の詳細な説明】
【技術分野】
【０００１】
本発明は、フリーアクセスフロアの支持脚の高さ位置を設定するために用いられる支持脚レベル設定器に関するものである。
【背景技術】
【０００２】
建築構造物の基礎床の上方に空間を隔てて第２の床面を形成するフリーアクセスフロアにおいては、建築構造物の基礎床の上に複数の支持脚が立設され、これら複数の支持脚によって、複数のフロアパネルが基礎床の上方に所定の間隔をおいて支持されるようになっていた（例えば、特許文献１参照）。
【０００３】
そして、このようなフリーアクセスフロアはその施工時において、上記第２の床面を水平に設置するために、基礎床の上に立設された複数の支持脚について、それぞれの支持脚のパネル支持台の基礎床からの高さ位置を所定の高さに設定する作業（レベル設定作業）を行う必要があり、細かな傾斜や凹凸のある基礎床の上に立設された多数の支持脚について、効率よく正確にレベル設定作業を行うための支持脚レベル設定器が用いられていた（例えば、特許文献２参照）。
【０００４】
図８ないし図１１は、フリーアクセスフロア６の支持脚２のレベル設定作業に用いられる従来の支持脚レベル設定器３０について説明するために参照する図である。
【０００５】
フリーアクセスフロア６においては、図１０に示すように、建築構造物の鉄筋コンクリート等により形成された基礎床３の上に支持脚２が立設され、この支持脚２によって複数のフロアパネル４が下側から支持されるようになっていた。
【０００６】
フリーアクセスフロア６の支持脚２は、図１１（ａ）に示すように、基礎床３の上に立設される脚部１６と、この脚部１６の上部に設けられたパネル支持台１４を備えていた。
【０００７】
支持脚２の脚部１６は、板状のベースプレート１６ａと、ベースプレート１６ａの上面の略中央から図１１（ａ）中上方に伸びるように立設された丸棒状の支柱１６ｂを備え、この支柱１６ｂの外周部にはオネジ部１６ｃが形成されていた。
【０００８】
支持脚２のパネル支持台１４は、図１１（ａ）中上下方向に軸線を有する円筒形状の下方筒状部１４ａと、下方筒状部１４ａの上端部からその半径方向（水平方向）の外側に向けて放射状に広がる略円板状（図１１（ｂ）参照）の支持部１８と、支持部１８の上面の略中央から図１１（ａ）中上方向に突出するように形成された、下方筒状部１４ａと同一軸線上にその軸線を有する円筒形状の上方筒状部１４ｂを備えていた。
【０００９】
そして、図１１（ａ）に示すように、パネル支持台１４の下方筒状部１４ａには、その円筒形状の中心孔の内周部にメネジ部１４ｃが形成されており、このメネジ部１４ｃに対して脚部１６の支柱１６ｂに形成されたオネジ部１６ｃが下側からネジ結合されていた。
【００１０】
これにより、パネル支持台１４の下方筒状部１４ａに脚部１６の支柱１６ｂがネジ結合された状態で、そのネジの螺旋軌跡に沿ってパネル支持台１４が脚部１６に対して相対ネジ回転することによって、パネル支持台１４の支持部１８と脚部１６のベースプレート１６ａの間隔、すなわち、パネル支持台１４の支持部１８の基礎床３からの高さ位置を変更することができるようになっていた。
【００１１】
そして、パネル支持台１４の支持部１８の基礎床３からの高さ位置が所望の高さに設定された状態で、図１１（ａ）に示すように、パネル支持台１４の下方筒状部１４ａの側面に開口するメネジ孔１４ｅに高さ固定ボルト７をネジ結合し、この高さ固定ボルト７を、その先端部が脚部１６の支柱１６ｂに向かって進むように締め付けることにより、パネル支持台１４の支持部１８の基礎床３からの高さ位置が固定されるようになっていた。
【００１２】
また、図１１（ａ）及び（ｂ）に示すように、パネル支持台１４の支持部１８の上面には平坦な支持面１８ａが形成され、この支持面１８ａと上方筒状部１４ｂの外周面との間の角部を埋めるように、支持面１８ａから上方に突出し、かつ上方筒状部１４ｂの外周面から半径方向外側に伸びる４つの板状の突起１９が、上方筒状部１４ｂの軸線を中心として、互いの角度が略９０度になるように放射状に形成されていた。
【００１３】
このような支持脚２を用いたフリーアクセスフロア６においては、図１０に示すように、最大で４つのフロアパネル４が、それぞれの四隅部を互いに突き合わせるように配置された状態で、基礎床３の上に立設された支持脚２のパネル支持台１４の支持面１８ａの上に載置されていた。
【００１４】
このとき、図１０に示すように、パネル支持台１４に形成された４つの突起１９が、パネル支持台１４の支持面１８ａの上に載置された４つのフロアパネル４の、互いに突き合わせるように配置された四隅部の、互いに隣り合う四隅部の間に配置されるようになっており、これにより、パネル支持台１４の支持面１８ａの上に載置されたフロアパネル４の水平方向の位置ずれが防止されるようになっていた。
【００１５】
そして、図１１（ａ）に示すように、支持脚２のパネル支持台１４の上方筒状部１４ｂには、その円筒形状の中心孔の内周部にメネジ部１４ｄが形成され、図１０に示すように、このメネジ部１４ｄに対して皿ボルト２０のオネジ部２０ｂが上側からネジ結合され、この皿ボルト２０を、その頭部２０ａがパネル支持台１４の支持部１８に接近するように締め付けることにより、フロアパネル４の四隅部がパネル支持台１４の支持部１８と皿ボルト２０の頭部２０ａの間に挟まれて動かないように固定されていた。
【００１６】
このようにして、複数のフロアパネル４が複数の支持脚２によって支持されることにより、基礎床３の上方に所定の空間を隔てて第２の床面が形成されるフリーアクセスフロア６が構成されるようになっていた。
【００１７】
そして、このようなフリーアクセスフロア６に用いられる複数の支持脚２について、それぞれの支持脚２のパネル支持台１４の支持部１８の基礎床３からの高さ位置を所定の高さに設定する作業（レベル設定作業）を効率よく正確に行うために、図８に示すような支持脚レベル設定器３０が用いられていた。
【００１８】
従来の支持脚レベル設定器３０は、図８に示すように、略箱状の本体部３１と、略二股棒状の結合部材３２と、略円板状の係合部材３３を備えていた。
【００１９】
支持脚レベル設定器３０の本体部３１は、その内部に、本体部３１の図８中手前側の側面に設けられた細長い長方形の受光窓３６ａを有する受光部３６と、図８中上下方向に伸びる回転軸を備えたモーター３７ａを有する駆動部３７を備え、本体部３１の上部には、作業者が支持脚レベル設定器３０を保持するための略棒状のグリップ３４と、作業者が手動で支持脚レベル設定器３０を起動／停止するためのスイッチ３５が設けられていた。
【００２０】
支持脚レベル設定器３０の結合部材３２は、その上端部が本体部３１の駆動部３７のモーター３７ａの回転軸に結合されると共に、その二股に分岐した下端部が係合部材３３の上面に固定されていた。
【００２１】
支持脚レベル設定器３０の係合部材３３は、図８中上下方向に所定の厚さを有する略円板状に形成され、その上面の略中央には、係合部材３３を厚さ方向に貫通する係合孔３３ａが形成され、この係合孔３３ａの水平断面形状は、支持脚２の支持面１８ａ上における、上方筒状部１４ｂと４つの突起１９の下端部の外形の水平断面（図１１（ｂ）参照）よりわずかに大きく形成されていた。
【００２２】
このような従来の支持脚レベル設定器３０は、図９（ａ）に示すように、その係合部材３３が支持脚２のパネル支持台１４の支持部１８の上に載置され、係合部材３３の下面が支持脚２の支持面１８ａに接触すると共に、上方筒状部１４ｂと４つの突起１９が係合孔３３ａの下側からその内部に挿通されるようにして、支持脚２に取り付けることができるようになっていた。
【００２３】
そして、この状態でスイッチ３５を操作して支持脚レベル設定器３０を起動して、駆動部３７のモーター３７ａが回転することにより、支持脚２のパネル支持台１４の４つの突起１９が、係合部材３３の係合孔３３ａの内側面に係合して、パネル支持台１４を脚部１６に対して相対ネジ回転し、その結果、パネル支持台１４の支持部１８の基礎床３からの高さ位置が変更されるようになっていた。
【００２４】
このような従来の支持脚レベル設定器３０を用いて、支持脚２のレベル設定作業を行うためには、まず、図９（ａ）に示すように、基礎床３より上方の所定の高さ位置に水平方向にレーザー光２２を照射するレーザー光発生装置２１を設置し、レベル設定作業を行う支持脚２を、予めパネル支持台１４の高さ位置が最も低い状態にして基礎床３の上に立設し、支持脚２のパネル支持台１４の支持部１８の上に支持脚レベル設定器３０を取り付けて、支持脚レベル設定器３０の受光部３６の受光窓３６ａがレーザー光発生装置２１の方向を向くように、支持脚レベル設定器３０の向きを設定する。
【００２５】
このとき、レーザー光発生装置２１から照射されるレーザー光２２は、図９（ａ）に示すように、支持脚レベル設定器３０の受光部３６の受光窓３６ａより上方に照射されるように、その高さ位置を設定する。
【００２６】
そして、スイッチ３５を操作して支持脚レベル設定器３０を起動して、駆動部３７のモーター３７ａが回転すると、支持脚２のパネル支持台１４が脚部１６に対して相対ネジ回転し、それに伴い支持脚２のパネル支持台１４の支持部１８が上昇し、支持部１８の上に載置された支持脚レベル設定器３０の高さ位置も上昇する。
【００２７】
そして、図９（ｂ）に示すように、支持脚レベル設定器３０の受光窓３６ａの高さ位置がレーザー光２２の高さ位置まで、支持脚２のパネル支持台１４の支持部１８が上昇し、支持脚レベル設定器３０の受光窓３６ａにレーザー光２２が照射されると、受光部３６からモーター３７ａの回転を停止させる停止信号３１ａが駆動部３７に対して出力される。
【００２８】
そして、停止信号３１ａを受信した駆動部３７がモーター３７ａの回転を停止することにより、支持脚２のパネル支持台１４の支持部１８の上昇が停止し、支持脚２のパネル支持台１４の支持部１８の高さ位置が目的の高さに設定される。
【００２９】
このように、支持脚２のパネル支持台１４の支持部１８の基礎床３からの高さ位置Ｈは、図９（ｂ）に示すように、基礎床３からレーザー光２２までの距離Ｌ１と、支持脚レベル設定器３０の係合部材３３の下面から受光部３６の受光窓３６ａまでの距離Ｌ２の差として決定されるため、これらの距離Ｌ１，Ｌ２を予め適切に設定することにより、支持脚２のパネル支持台１４の支持部１８の基礎床３からの高さ位置Ｈを目的の高さに正確に設定することができるようになっていた。
【００３０】
このように、従来の支持脚レベル設定器３０を用いることにより、基礎床３の上に立設された多数の支持脚２のレベル設定作業を、効率よく正確に行うことができるようになっていた。
【先行技術文献】
【特許文献】
【００３１】
【特許文献１】特開２００８−２１２６号公報
【特許文献２】特開２０１８−１１２４１７号公報
【発明の概要】
【発明が解決しようとする課題】
【００３２】
しかしながら、上述したような従来の支持脚レベル設定器３０においては、大きな重量を有する支持脚レベル設定器３０用いて、基礎床３の上に立設された多数の支持脚２についてレベル設定作業を行わなければならないため、作業者の身体への負担が大きくなり、その結果、レベル設定作業の効率が低下するおそれがあるという問題があった。
【００３３】
すなわち、従来の支持脚レベル設定器３０の本体部３１の内部には、受光部３６や駆動部３７だけでなく、駆動部３７を動かすための電力を供給する電源や、スイッチ３５の操作や受光部３６から出力された信号に応じて駆動部３７の動作を制御する電子回路や、それらを接続する配線等も収納されているため、支持脚レベル設定器３０の本体部３１が大型化し、支持脚レベル設定器３０の重量の増加を招いていた。
【００３４】
そして、支持脚２のレベル設定作業を行う作業者は、そのような支持脚レベル設定器３０を持ち上げて、支持脚２のパネル支持台１４の上に載置し、支持脚レベル設定器３０の動作中は、支持脚レベル設定器３０のグリップ３４を保持して、支持脚レベル設定器３０が傾かないようにその姿勢を維持し続ける必要があった。
【００３５】
そして、支持脚レベル設定器３０の動作中は、図９に示すように、支持脚レベル設定器３０の重量の全てが、支持脚２のパネル支持台１４にかかるようになっており、それ加えて、支持脚レベル設定器３０の動作によって支持脚２のパネル支持台１４が上昇し、それに伴い支持脚レベル設定器３０も上昇するため、支持脚レベル設定器３０は非常に不安定になっていた。
【００３６】
だからといって、作業者が支持脚レベル設定器３０の姿勢を維持するために、支持脚レベル設定器３０を強い力でパネル支持台１４に押し付けてしまうと、それにより駆動部３７のモーター３７ａの回転が停止してしまうおそれがあった。
【００３７】
そのため、支持脚２のレベル設定作業を行う作業者は、力加減に十分に注意しながら、支持脚レベル設定器３０がパネル支持台１４から外れないように、支持脚レベル設定器３０の姿勢を維持し続ける必要があった。
【００３８】
そして、フリーアクセスフロア６の施工時において、作業者が、基礎床３の上に立設された多数の支持脚２の全てに対して、大きな重量を有する支持脚レベル設定器３０を用いて、十分に注意しながら慎重にレベル設定作業を行うことにより、作業者の身体への負担が大きくなって作業者の疲労を招き、その結果、作業速度の低下や作業のやり直しが発生して、レベル設定作業の効率が低下するおそれがあった。
【００３９】
また、上述したような従来の支持脚レベル設定器３０においては、支持脚２のレベル設定作業に要する時間を更に短縮しようとした場合に、却ってレベル設定作業の効率が低下したり、支持脚レベル設定器自体のコストが増加したりするおそれがあるという問題があった。
【００４０】
すなわち、従来の支持脚レベル設定器３０を用いた支持脚２のレベル設定作業において、その作業時間を短縮するためには、１つの支持脚２のパネル支持台１４の高さ位置をより素早く設定する必要があり、そのためには、支持脚レベル設定器３０の駆動部３７のモーター３７ａの回転数を大きくする必要があった。
【００４１】
しかしながら、駆動部３７のモーター３７ａの回転数を大きくすると、駆動部３７が停止信号３１ａを受信してから（図９（ｂ）参照）、モーター３７ａが完全に停止するまでに要する時間が長くなるため、支持脚レベル設定器３０の受光部３６がレーザー光２２を受光してから、支持脚２のパネル支持台１４の上昇が完全に停止するまでに時間かかり、パネル支持台１４の高さ位置が目的とする高さ位置からずれてしまうおそれがあった。
【００４２】
そして、支持脚２のパネル支持台１４の高さ位置がずれてしまうと、レベル設定作業を最初からやり直さなければならず、却って作業効率が低下するおそれがあった。
【００４３】
また、例えば、駆動部３７のモーター３７ａにステッピングモーター等を採用し、モーターの停止を正確に制御することも考えられるが、そのようなモーターは非常に高価であり、モーターの制御を行う複雑な電子回路も必要となるため、支持脚レベル設定器自体のコストが増加するおそれがあった。
【００４４】
そこで本発明は、上記問題点に鑑みて、フリーアクセスフロアのフロアパネルの支持脚のレベル設定作業において、作業者の身体への負担を軽減し、作業効率を向上させると共に、装置自体のコスト増加を防止することができる支持脚レベル設定器を提供することを課題とするものである。
【課題を解決するための手段】
【００４５】
上記課題を解決するために、本発明による支持脚レベル設定器は、
基礎床に立設されたフリーアクセスフロアのフロアパネルの支持脚のパネル支持台に係合してこれを回転させる係合部材と、
前記係合部材を回転させる駆動部を有する本体部と、
前記駆動部へ動力を供給し、前記駆動部の動作を制御する動力操作部と、
前記本体部と前記動力操作部を接続する接続ケーブルと、を備え、
前記係合部材が回転することにより、前記支持脚の前記パネル支持台が上下移動するように構成された
ことを特徴とするものである。
【００４６】
また、本発明による支持脚レベル設定器は、
前記本体部は、
鉛直上下方向に伸びる支柱と、
前記駆動部を有し、前記支柱に沿って鉛直上下方向に移動可能に設けられた可動部と、を備え、
前記係合部材が前記支持脚の前記パネル支持台に係合された状態で、前記支柱の下端部が前記基礎床に当接するように前記支柱が立設されるように構成された
ことを特徴とするものである。
【００４７】
また、本発明による支持脚レベル設定器は、
前記可動部は、
レーザー光を受光した時に、前記動力操作部に対して前記係合部材の回転を停止させる信号を出力する第１受光部と、
前記第１受光部に対して鉛直上方向に所定の間隔をおいて離れた位置に設けられ、前記レーザー光を受光した時に、前記動力操作部に対して前記係合部材の回転を変化させる信号を出力する第２受光部と、を有するセンサー部を備え、
前記駆動部は、前記係合部材を異なる回転速度で回転させることができ、
前記動力操作部は、前記センサー部からの信号に応じて前記駆動部を制御し、
前記係合部材が異なる回転速度で回転することにより、前記支持脚の前記パネル支持台が異なる速度で上昇するように構成された
ことを特徴とするものである。
【００４８】
また、本発明による支持脚レベル設定器は、
前記可動部は、
レーザー光を受光した時に、前記動力操作部に対して前記係合部材の回転を変化させる信号を出力する第１受光部と、
前記第１受光部に対して鉛直上方向に所定の間隔をおいて離れた位置に設けられ、前記レーザー光を受光した時に、前記動力操作部に対して前記係合部材の回転を停止させる信号を出力する第２受光部と、を有するセンサー部を備え、
前記駆動部は、前記係合部材を異なる回転速度で回転させることができ、
前記動力操作部は、前記センサー部からの信号に応じて前記駆動部を制御し、
前記係合部材が異なる回転速度で回転することにより、前記支持脚の前記パネル支持台が異なる速度で下降するように構成された
ことを特徴とするものである。
【００４９】
また、本発明による支持脚レベル設定器は、
前記係合部材の回転を変化させる信号は、前記係合部材の回転を減速させる信号である
ことを特徴とするものである。
【００５０】
また、本発明による支持脚レベル設定器は、
前記動力操作部には、作業者が前記動力操作部を装着するための装着具が設けられた
ことを特徴とするものである。
【００５１】
また、本発明による支持脚レベル設定器は、
前記支柱には、前記支柱の傾きを検知するための水準器が設けられた
ことを特徴とするものである。
【００５２】
また、本発明による支持脚レベル設定器は、
前記支柱の下端部には、略球形の接地部が設けられた
ことを特徴とするものである。
【発明の効果】
【００５３】
このような本発明の支持脚レベル設定器によれば、
基礎床に立設されたフリーアクセスフロアのフロアパネルの支持脚のパネル支持台に係合してこれを回転させる係合部材と、
前記係合部材を回転させる駆動部を有する本体部と、
前記駆動部へ動力を供給し、前記駆動部の動作を制御する動力操作部と、
前記本体部と前記動力操作部を接続する接続ケーブルと、を備え、
前記係合部材が回転することにより、前記支持脚の前記パネル支持台が上下移動するように構成されたことにより、
フリーアクセスフロアのフロアパネルの支持脚のレベル設定作業において、作業者の身体への負担を軽減し、作業効率を向上させると共に、装置自体のコスト増加を防止することができる。
【図面の簡単な説明】
【００５４】
【図１】本発明の一実施の形態に係る支持脚レベル設定器４０の正面図である。
【図２】図１に示す支持脚レベル設定器４０の本体部４１の側面図である。
【図３】支持脚レベル設定器４０の本体部４１を示す図であり、図３（ａ）はその上面図であり、図３（ｂ）は図２におけるＡ−Ａ線矢視断面図である。
【図４】支持脚レベル設定器４０の係合部材４３を示す図であり、図４（ａ）はその斜視図であり、図３（ｂ）はその底面図である。
【図５】支持脚レベル設定器４０の係合部材４３の、支持脚２への取り付け方法を説明するための概略斜視図である。
【図６】支持脚レベル設定器４０を用いた支持脚２のレベル設定作業の手順を説明するための概略側面図である。
【図７】支持脚レベル設定器４０を用いた支持脚２のレベル設定作業の手順を説明するための概略側面図である。
【図８】従来の支持脚レベル設定器３０を示す斜視図である。
【図９】図８に示す支持脚レベル設定器３０を用いた支持脚２のレベル設定作業の手順を説明するための概略側面図である。
【図１０】フリーアクセスフロア６の構造を示す概略側面図である。
【図１１】フリーアクセスフロア６の支持脚２を示す図であり、図１１（ａ）はその側面図であり、図１１（ｂ）はその上面図である。
【発明を実施するための形態】
【００５５】
以下、本発明に係る支持脚レベル設定器を実施するための形態について、図面に基づいて具体的に説明する。
【００５６】
図１から図７は、本発明の一実施の形態に係る支持脚レベル設定器４０について説明するために参照する図である。
【００５７】
本実施の形態に係る支持脚レベル設定器４０は、図１に示すように、支持脚２のパネル支持台１４（図６参照）に係合してこれを回転させる係合部材４３と、係合部材４３を回転させて支持脚２のレベル設定作業を行う本体部４１と、本体部４１の操作や制御を行う動力操作部４２と、本体部４１と動力操作部４２を接続する十分な長さを有する接続ケーブル４５を備えている。
【００５８】
支持脚レベル設定器４０の本体部４１は、図１に示すように、鉛直上下方向（図中上下方向）に伸びる支柱４４と、支柱４４の長さ方向（図中上下方向）中程の位置に、支柱４４に沿って鉛直上下方向に移動可能に設けられた可動部４６と、可動部４６の図中右側の下部に設けられた略箱状のセンサー部４８を備えている。
【００５９】
本体部４１の支柱４４は、図２に示すように、鉛直上下方向（図中上下方向）に細長く伸び、その長さ方向に対して垂直な断面が略正方形（図３（ｂ）参照）の四角柱状に形成されている。
【００６０】
そして、支柱４４の上端部にはグリップ４４ａが設けられると共に、支柱４４の下端部には略球形の接地部４４ｂが設けられ、支柱４４のグリップ４４ａの上面の略中央には、略円板状（図３（ａ）参照）の水準器４４ｃが設けられている。
【００６１】
この水準器４４ｃは、例えば、内部に液体と１つの気泡が封入された透明な密閉容器であって、上方から水準器４４ｃの内部の気泡の位置を確認することにより、支柱４４が鉛直方向に対して傾いているか分かるようになっている。
【００６２】
そして、図２に示すように、支柱４４の長さ方向（図中上下方向）中程の位置の、支柱４４の前面側（図中左側）の側面には、支柱４４の長さ方向に沿って平行に伸びるようにスライドレール４４ｄが設けられている。
【００６３】
スライドレール４４ｄは、図３（ｂ）に示すように、その長さ方向（図の紙面に垂直方向）に垂直な断面が略Ｃ字型に形成され、その略Ｃ字型の開口部側を本体部４１の前面側（図中下側）に向け、開口部と反対側が支柱４４の前面側（図中下側）の側面に接触するように、支柱４４の側面に固定されている。
【００６４】
そして、本体部４１の可動部４６は、図２に示すように、支柱４４ｄの前面側（図中左側）の側面に設けられたスライドレール４４ｄの前面側（図中左側）に設けられている。
【００６５】
可動部４６は、図３（ｂ）に示すように、支柱４４の長さ方向（図の紙面に垂直方向）に対して垂直な断面が略コ字型に形成され、水平方向（図中左右方向）に所定の幅を有する背板４６ａと、背板４６ａの水平方向の両端部から本体部４１の前面側（図中下側）に略直角に折れ曲がるように形成された２つの側板４６ｂを備えて構成されている。
【００６６】
そして、可動部４６の背板４６ａと２つの側板４６ｂに囲まれたその内側部には、図１に示すように、鉛直上下方向（図中上下方向）に平行な回転軸４７ｂを有するモーター４７ａを備えた略円筒状の駆動部４７が、２つの側板４６ｂに挟まれるように設けられている（図３（ｂ）参照）。
【００６７】
この駆動部４７のモーター４７ａには、例えば、ＤＣモーターを用いることができ、モーター４７ａに加える電圧の大きさによって、モーター４７ａの回転数やトルクを調節することができるようになっている。
【００６８】
また、図１に示すように、可動部４６の２つの側板４６ｂのうちの、図中右側の側板４６ｂには、図中左右方向に所定の厚さを有し、図中上下方向に細長く伸びる板状の台板４６ｃが、２つのスペーサー部材４６ｄを介して、側板４６ｂから図中右側に少し距離をおいて固定されており、台板４６ｃの図中右側面の上端部付近には、略箱状の配線箱４６ｅが設けられている。
【００６９】
そして、駆動部４７のモーター４７ａに電力を供給するための電源ケーブル４７ｃの一方の端部が駆動部４７の上部に接続されると共に、電源ケーブル４７ｃの反対側の端部が配線箱４６ｅの上部に接続されている。
【００７０】
また、図１に示すように、可動部４６の図中右側の側板４６ｂに設けられた台板４６ｃの図中右側面の下端部付近には、略箱状のセンサー部４８が設けられている。
【００７１】
本体部４１のセンサー部４８は、図２に示すように、その内部に、レーザー光２２（図６参照）を受光するための第１受光部４８ａ及び第２受光部４８ｂを備え、これらの第１受光部４８ａ及び第２受光部４８ｂはそれぞれが、センサー部４８の前面側（図中左側）の側面に設けられた略円形（図１参照）の受光窓４８ｃ，４８ｄと、これらの受光窓４８ｃ，４８ｄを通過したレーザー光２２を受光する受光素子（不図示）、受光素子がレーザー光２２を受光したときに信号を出力する出力端子（不図示）等を備えている。
【００７２】
そして、図１及び図２に示すように、第２受光部４８ｂは、第１受光部４８ａに対して鉛直上方向に所定の間隔をおいて離れた位置に設けられ、第２受光部４８ｂの受光窓４８ｄは、センサー部４８の前面側の側面の、第１受光部４８ａの受光窓４８ｃに対して鉛直上方向に所定の間隔Ｄをおいて離れた位置に設けられている。
【００７３】
そして、センサー部４８の第１受光部４８ａ及び第２受光部４８ｂから出力された信号を伝達するための信号ケーブル４８ｅの一方の端部がセンサー部４８の上部に接続されると共に、反対側の端部が配線箱４６ｅの下部に接続されている（図１参照）。
【００７４】
また、図２に示すように、可動部４６の背板４６ａの背面側（図中右側）には、複数の（６つの）スライド部材４９が、スライドレール４４ｄの長さ方向（図中上下方向）に沿って略一列に並ぶように設けられている。
【００７５】
これらのスライド部材４９はそれぞれが、図３（ｂ）に示すように、可動部４６の背板４６ａの背面側（図中上側）から図中上方に垂直に伸びる軸部４９ａと、軸部４９ａの先端部に設けられた、軸部４９ａと同一の軸線上に回転軸を有する車輪状の輪部４９ｂを備えて構成されている。
【００７６】
そして、これら複数のスライド部材４９のそれぞれが、その輪部４９ｂがスライドレール４４ｄの略Ｃ字型の断面の内側部に配置されると共に、輪部４９ｂから伸びる軸部４９ａがスライドレール４４ｄの略Ｃ字型の断面の開口部分を挿通するように配置されることにより、可動部４６が支柱４４のスライドレール４４ｄに取り付けられている。
【００７７】
これにより、可動部４６が鉛直上下方向に移動すると、スライド部材４９の輪部４９ｂがスライドレール４４ｄの内側で回転し、それにより、可動部４６がスライドレール４４ｄの長さ方向に沿って滑らかに移動することができるようになっている。
【００７８】
そして、図１に示すように、このような支持脚レベル設定器４０の本体部４１の、駆動部４７への動力の供給や、センサー部４８からの信号の受信、受信した信号に応じた駆動部４７の動作の制御等を行うための動力操作部４２が、本体部４１とは別に設けられている。
【００７９】
支持脚レベル設定器４０の動力操作部４２は、支持脚レベル設定器４０を操作するスイッチ４２ａと、センサー部４８からの信号を受信して駆動部４７の動作の制御を行う制御部４２ｂと、駆動部４７の動力である電力を供給する電源部４２ｃを備えている。
【００８０】
そして、これらの制御部４２ｂ、及び電源部４２ｃが、略箱状の筐体４２ｄの内部に収納されると共に、スイッチ４２ａが筐体４２ｄの外側から操作可能に設けられ、さらに筐体４２ｄの外側面には、フック状の装着具４２ｅが設けられている。
【００８１】
これにより、支持脚２のレベル設定作業を行う作業者は、自身の衣服の一部、例えば、ベルト等に、動力操作部４２のフック状の装着具４２ｅを引っ掛けて動力操作部４２を装着し、スイッチ４２ａを操作することができるようになっている。
【００８２】
そして、このような本体部４１と動力操作部４２は、図１に示すように、十分な長さの接続ケーブル４５によって互いに接続されている。
【００８３】
接続ケーブル４５は、本体部４１の可動部４６の台板４６ｃに設けられた配線箱４６ｅにそれぞれ接続された、駆動部４７に電力を供給するための電源ケーブル４７ｃと、センサー部４８から出力された信号を伝達するための信号ケーブル４８ｅが、配線箱４６ｅの内部で一本にまとめられたものであり、その一方の端部が配線箱４６ｅの上部に接続されると共に、反対側の端部が動力操作部４２に接続されている。
【００８４】
そして、図１及び図２に示すように、このような支持脚レベル設定器４０本体部４１の可動部４６の駆動部４７には、図４に示すような係合部材４３が設けられている。
【００８５】
支持脚レベル設定器４０の係合部材４３は、図４（ａ）に示すように、略円板状に形成されたベース部４３ａと、ベース部４３ａの上面の略中央から上方に向けて垂直に伸びる回転軸部４３ｂと、ベース部４３ａの下面から下方に向けて突出する複数の（４つの）円柱状の係合脚部４３ｃを備えている。
【００８６】
係合部材４３の４つの係合脚部４３ｃは、図４（ｂ）に示すように、ベース部４３ａの下面における、係合部材４３の回転軸部４３ｂの中心を中央とする略正方形のそれぞれの頂点を構成するような位置に形成されている。
【００８７】
このような係合部材４３の回転軸部４３ｂの上端部が、図１に示すように、係合部材４３支持脚レベル設定器４０の本体部４１の、駆動部４７に設けられたモーター４７ａの回転軸４７ｂの下端部に結合されており、モーター４７ａの回転軸４７ｂが回転すると、係合部材４３がその回転軸部４３ｂを中心として回転するようになっている。
【００８８】
このような係合部材４３を、パネル支持台１４の支持面１８ａの上に載置すると、図５（ｂ）に示すように、係合部材４３の４つの係合脚部４３ｃが、支持脚２のパネル支持台１４に設けられた４つの突起１９の間の支持面１８ａにそれぞれ配置されるようになっている。
【００８９】
そして、この状態で係合部材４３がその回転軸部４３ｂを中心に回転することにより、係合部材４３の４つの係合脚部４３ｃが、支持脚２のパネル支持台１４の４つの突起１９の側面にそれぞれ接触して係合し、さらに係合部材４３が回転することにより、パネル支持台１４が脚部１６に対して相対ネジ回転するようになっている。
【００９０】
このように、支持脚レベル設定器４０は、係合部材４３が支持部１８の上に載置されるように支持脚２のパネル支持台１４に取り付けられ（図６参照）、その状態で駆動部４７のモーター４７ａが回転することにより、その回転力が係合部材４３を介して支持脚２のパネル支持台１４に伝達され、パネル支持台１４が脚部１６に対して相対ネジ回転するようになっている。
【００９１】
このような支持脚レベル設定器４０を用いて、支持脚２のレベル設定作業を行うには、まず、図６に示すように、基礎床３より上方の所定の高さ位置に水平方向にレーザー光２２を照射するレーザー光発生装置２１を設置し、レベル設定作業を行う支持脚２を、予めパネル支持台１４の高さ位置が最も低い状態にして基礎床３の上に立設する。
【００９２】
そして、支持脚レベル設定器４０の本体部４１の支柱４４を、その接地部４４ｂが基礎床３の床面に当接するように基礎床３の上に立設し、係合部材４３を支持脚２のパネル支持台１４の支持部１８の上に載置することにより、支持脚レベル設定器４０の本体部４１を支持脚２のパネル支持台１４に取り付ける。
【００９３】
そして、本体部４１のセンサー部４８の第１受光部４８ａ及び第２受光部４８ｂの受光窓４８ｃ，４８ｄがレーザー光発生装置２１の方向（図中左側）を向くように、支持脚レベル設定器４０の本体部４１の向きを設定する。
【００９４】
このとき、レーザー光発生装置２１から照射されるレーザー光２２は、図６に示すように、本体部４１のセンサー部４８の第２受光部４８ｂの受光窓４８ｄより上方に照射されるように、その高さ位置が設定されている。
【００９５】
そして、支持脚２のレベル設定作業を行う作業者は、支持脚レベル設定器４０の動力操作部４２を自身のベルト等に装着すると共に、支持脚レベル設定器４０の本体部４１の支柱４４のグリップ４４ａを保持し、支柱４４に設けられた水準器４４ｃを確認しながら、本体部４１が鉛直方向から傾かないようにその姿勢を調整する。
【００９６】
そして、作業者が動力操作部４２のスイッチ４２ａを操作し、支持脚レベル設定器４０が起動されると、動力操作部４２から接続ケーブル４５を通って本体部４１の駆動部４７へ電力が供給され、それにより、駆動部４７のモーター４７ａが回転する（図１参照）。
【００９７】
その結果、図６に示すように、モーター４７ａの回転軸４７ｂ（図１参照）に固定された係合部材４３が高速の回転速度Ｓ１で回転し、それにより、係合部材４３が係合する支持脚２のパネル支持台１４が脚部１６に対して相対ネジ回転して、支持脚２のパネル支持台１４が上昇し、それに伴い、パネル支持台１４の支持部１８の上に載置された係合部材４３が設けられた、本体部４１の可動部４６が支柱４４に設けられたスライドレール４４ｄに沿って鉛直上方向に移動する。
【００９８】
そして、図７（ａ）に示すように、本体部４１の可動部４６に設けられたセンサー部４８の第２受光部４８ｂの受光窓４８ｄの高さ位置がレーザー光２２の高さ位置まで、支持脚２のパネル支持台１４の支持部１８が上昇し、センサー部４８の第２受光部４８ｂの受光窓４８ｄにレーザー光２２が照射されると、第２受光部４８ｂから係合部材４３の回転速度を減速させる減速信号４１ａが出力される。
【００９９】
第２受光部４８ｂから出力された減速信号４１ａは、センサー部４８の信号ケーブル４８ｅ及び接続ケーブル４５を通って、動力操作部４２の制御部４２ｂへ伝達され（図１参照）、減速信号４１ａを受信した制御部４２ｂが本体部４１の駆動部４７へ供給される電力を変更することにより、駆動部４７のモーター４７ａの回転が減速される。
【０１００】
その結果、図７（ａ）に示すように、モーター４７ａの回転軸４７ｂ（図１参照）に固定された係合部材４３がその回転速度を、高速の回転速度Ｓ１から低速の回転速度Ｓ２に減速させる。
【０１０１】
そして、係合部材４３は減速された低速の回転速度Ｓ２で回転を継続し、それにより、係合部材４３が係合する支持脚２のパネル支持台１４も、減速信号４１ａを受信する前よりゆっくりとした速度で上昇を継続する。
【０１０２】
そして、図７（ｂ）に示すように、本体部４１のセンサー部４８の第１受光部４８ａの受光窓４８ｃの高さ位置がレーザー光２２の高さ位置まで、支持脚２のパネル支持台１４の支持部１８が上昇し、センサー部４８の第１受光部４８ａの受光窓４８ｃにレーザー光２２が照射されると、第１受光部４８ａから係合部材４３の回転を停止させる停止信号４１ｂが出力される。
【０１０３】
第２受光部４８ｂから出力された停止信号４１ｂは、センサー部４８の信号ケーブル４８ｅ及び接続ケーブル４５を通って、動力操作部４２の制御部４２ｂへ伝達され（図１参照）、停止信号４１ｂを受信した制御部４２ｂが本体部４１の駆動部４７へ供給される電力を遮断することにより、駆動部４７のモーター４７ａの回転が停止される。
【０１０４】
その結果、図７（ａ）に示すように、モーター４７ａの回転軸４７ｂ（図１参照）に固定された係合部材４３の回転が停止し、それにより、係合部材４３が係合する支持脚２のパネル支持台１４の上昇も停止する。
【０１０５】
このとき、係合部材４３は、第１受光部４８ａがレーザー光２２を受光した時点で（図７（ｂ）参照）、低速の回転速度Ｓ２で回転しているため、係合部材４３が高速で回転していた時に比べて、その回転を極めて短時間で停止することができ、これにより、支持脚２のパネル支持台１４の支持部１８の上昇もすぐに停止するため、支持脚２のパネル支持台１４の支持部１８の高さ位置を目的の高さ位置Ｈに正確に設定することができる。
【０１０６】
このように、支持脚２のパネル支持台１４の支持部１８の基礎床３からの高さ位置Ｈは、図７（ｂ）に示すように、基礎床３からレーザー光２２までの距離Ｌ１と、支持脚レベル設定器４０の係合部材４３の係合脚部４３ｃの下端部から第１受光部４８ａの受光窓４８ｃまでの距離Ｌ３の差として決定されるため、これらの距離Ｌ１，Ｌ３を予め適切に設定することにより、支持脚２のパネル支持台１４の支持部１８の基礎床３からの高さ位置Ｈを目的の高さに正確に設定することができるようになっている。
【０１０７】
また、モーター４７ａが高速の回転速度Ｓ１から低速の回転速度Ｓ２まで減速するのに要する時間によって、２つの受光部の受光窓の間の間隔Ｄ（図２及び図７（ｂ）参照）が決定されるため、間隔Ｄを大きくすることにより、支持脚レベル設定器４０の起動時のモーター４７ａの回転速度Ｓ１をより高速にすることができる。
【０１０８】
このような支持脚レベル設定器４０を用いることにより、支持脚２のレベル設定作業の作業者の身体への負担を軽減することができる。
【０１０９】
すなわち、本実施の形態に係る支持脚レベル設定器４０は、支持脚２のパネル支持台１４に係合する係合部材４３が設けられた本体部４１の可動部４６が、本体部４１の支柱４４に沿って鉛直上下方向に移動可能に設けられているため、支持脚２のレベル設定作業中に、支持脚レベル設定器４０の動作によって支持脚２のパネル支持台１４が上昇しても本体部４１の支柱４４が上昇しないようになっている。
【０１１０】
これにより、支持脚２のレベル設定作業の作業者は、支柱４４のグリップ４４ａを保持することにより、本体部４１の姿勢を維持することができ、また、支柱４４をどんなに強い力で保持しても、それによって係合部材４３がパネル支持台１４に押し付けられてその回転が停止することがないようになっている。
【０１１１】
そのため、支持脚２のレベル設定作業の作業者は、力加減を気にすることなく、十分な力で支柱４４のグリップ４４ａを保持するだけで、容易かつ確実に支持脚レベル設定器４０の本体部４１の姿勢を維持し続けることができるようになっている。
【０１１２】
また、支柱４４の下端部に設けられた接地部４４ｂにより、支柱４４と基礎床３の床面との接触部の面積が小さくなるため、本体部４１の姿勢を調整しようとして支柱４４を傾けた際に、基礎床３の床面の細かな傾斜や凹凸の影響を受けにくく、本体部４１の姿勢の調整がし易くなっている。
【０１１３】
また、支柱４４の上部に水準器４４ｃが設けられていることにより、レベル設定作業の作業中であっても、支柱４４の傾きを常に視覚的に確認することができるようになっているため、本体部４１の姿勢の調整がし易くなっている。
【０１１４】
そして、支持脚レベル設定器４０を操作するスイッチ４２ａや、駆動部４７の動作を制御する制御部４２ｂや、駆動部４７に電力を供給する電源部４２ｃを収納した動力操作部４２を本体部４１と別に設け、動力操作部４２が作業者の衣服に装着できるようになっていることにより、支持脚レベル設定器４０の本体部４１の軽量化を図ることができる。
【０１１５】
このように、本実施の形態に係る支持脚レベル設定器４０は、支持脚２のレベル設定作業において、本体部４１の姿勢を容易かつ確実に維持し続けることができ、作業者が繰り返し持ち上げる本体部４１を軽量化することができるため、作業者の身体への負担を軽減することができるようになっている。
【０１１６】
そして、このような支持脚レベル設定器４０を用いることにより、支持脚２のレベル設定作業を迅速かつ正確に行うことができる。
【０１１７】
すなわち、受光部を２つ設けることにより、支持脚２のパネル支持台１４の支持部１８の高さ位置が目的の高さ位置Ｈに達する前の段階で、係合部材４３の回転速度の減速を開始させることができるため、パネル支持台１４の支持部１８の高さ位置が目的の高さ位置Ｈに達したときには、係合部材４３の回転速度は十分に減速され、その回転を短時間で停止することができるようになっている。
【０１１８】
これにより、支持脚レベル設定器４０を起動時の係合部材４３の回転速度Ｓ１を高速にしても、支持脚２のパネル支持台１４の支持面１８ａの基礎床３からの高さ位置を正確に設定することができるため、支持脚２のレベル設定作業を迅速に行うことができる。
【０１１９】
そして、このような支持脚レベル設定器４０を用いることにより、ステッピングモーター等の高性能かつ高価なモーターや、その制御を行うための複雑な電子回路が不要なため、支持脚レベル設定器４０自体のコストが増加することを防止することができる。
【０１２０】
このように、本実施の形態に係る支持脚レベル設定器４０によれば、フリーアクセスフロアのフロアパネルの支持脚のレベル設定作業において、作業者の身体への負担を軽減し、作業効率を向上させると共に、装置自体のコスト増加を防止することができる。
【０１２１】
なお、本実施の形態に係る支持脚レベル設定器４０においては、図６及び図７に示すように、係合部材４３が回転することによって、支持脚２のパネル支持台１４の高さ位置が最も低い状態（図６参照）から上昇するように構成されているが、これと反対に、係合部材４３が回転することによって、支持脚２のパネル支持台１４の高さ位置が下降するように構成されていてもよい。
【０１２２】
その場合、レベル設定作業を行う支持脚２は、予めパネル支持台１４の高さ位置を最も高い状態にして基礎床３の上に立設され、レーザー光発生装置２１から照射されるレーザー光２２は、支持脚レベル設定器４０の本体部４１のセンサー部４８の第１受光部４８ａの受光窓４８ｃより下方に照射されるように、その高さ位置が設定される。
【０１２３】
そして、動力操作部４２のスイッチ４２ａを操作することにより、本体部４１の可動部４６の駆動部４７に設けられた係合部材４３が高速の回転速度Ｓ１で回転し、それに伴い支持脚２のパネル支持台１４が下降し、パネル支持台１４の支持部１８に載置された本体部４１の可動部４６が支柱４４に沿って下降する。
【０１２４】
そして、本体部４１のセンサー部４８の第１受光部４８ａの受光窓４８ｃの高さ位置がレーザー光２２の高さ位置まで、支持脚２のパネル支持台１４が下降して、受光窓４８ｃにレーザー光２２が照射されると、減速信号４１ａが第１受光部４８ａから動力操作部４２に対して出力されるようになっており、減速信号４１ａを受信した動力操作部４２が駆動部４７の動作を制御し、係合部材４３の回転速度が低速の回転速度Ｓ２に減速される。
【０１２５】
そして、支持脚２のパネル支持台１４はゆっくりとした速度で下降を継続し、本体部４１のセンサー部４８の第２受光部４８ｂの受光窓４８ｄの高さ位置がレーザー光２２の高さ位置まで、支持脚２のパネル支持台１４が下降して、受光窓４８ｄにレーザー光２２が照射されると、停止信号４１ｂが第２受光部４８ｂから動力操作部４２に対して出力されるようになっており、停止信号４１ｂを受信した動力操作部４２が駆動部４７の動作を制御し、係合部材４３の回転が停止され、支持脚２のパネル支持台１４の下降が停止する。
【０１２６】
このように、係合部材４３が回転することによって、支持脚２のパネル支持台１４が下降するように構成されていても、レーザー光２２を受光したセンサー部４８の第１受光部４８ａが減速信号４１ａを出力すると共に、レーザー光２２を受光したセンサー部４８の第２受光部４８ｂが停止信号４１ｂを出力するようにすることにより、フリーアクセスフロアのフロアパネルの支持脚のレベル設定作業を迅速かつ正確に行うことができ、レベル設定作業における作業者の身体への負担を軽減し、作業効率を向上させると共に、装置自体のコスト増加を防止することができるようになっている。
【０１２７】
なお、本発明は、前記実施の形態にのみ限定されるものではなく、本発明の目的を達成することができる範囲内であれば、種々の変更が可能である。
【０１２８】
例えば、前記実施の形態に係る支持脚レベル設定器４０は、図４に示すような係合部材４３を備えているが、係合部材４３は支持脚２のパネル支持台１４に係合できるように形成されていればよいため、例えば、従来の支持脚レベル設定器３０の結合部材３２と係合部材３３を合わせたような形状の係合部材４３を用いてもよい。
【０１２９】
また、前記実施の形態に係る支持脚レベル設定器４０の係合部材４３は、本体部４１の駆動部４７のモーター４７ａの回転軸４７ｂに固定されているが、係合部材４３の回転軸部４３ｂとモーター４７ａの回転軸４７ｂを着脱可能に結合されるようにしてもよい。
【０１３０】
そして、様々な形状の係合部材４３を用意して、これを交換することにより、様々な種類の支持脚２のレベル設定作業ができるようにしてもよい。
【０１３１】
また、前記実施の形態に係る支持脚レベル設定器４０の本体部４１のセンサー部４８は、本体部４１の可動部４６の台板４６ｃに固定されていたが、センサー部４８を台板４６ｃに沿って上下方向にスライド移動可能に設けることにより、係合部材４３の係合脚部４３ｃの下端部から第１受光部４８ａの受光窓４８ｃまでの距離Ｌ３を変更できるようにしてもよい。
【０１３２】
そして、センサー部４８に設けられた第１受光部４８ａや第２受光部４８ｂを、センサー部４８の内部で上下方向に移動可能に設けることにより、第１受光部４８ａの受光窓４８ｃと第２受光部４８ｂの受光窓４８ｄの間の間隔Ｄを変更できるようにしてもよい。
【０１３３】
また、前記実施の形態に係る支持脚レベル設定器４０の係合部材４３の、中心軸部４３ｂや係合脚部４３ｃを上下方向に伸縮可能に形成することにより、係合部材４３の係合脚部４３ｃの下端部から第１受光部４８ａの受光窓４８ｃまでの距離Ｌ３が変更できるようになっていてもよい。
【０１３４】
また、前記実施の形態に係る支持脚レベル設定器４０の本体部４１の支柱４４には、略円板状の透明な密閉容器の内部に液体と１つの気泡が封入されたような水準器４４ｃが設けられているが、水準器４４ｃはこのようなものに限定される必要はなく、例えば、支柱４４の傾きを電気的に検知し、支柱４４の傾きに応じた音や表示を通知するようなものであってもよい。
【０１３５】
そして、そのような水準器４４ｃで検知した支柱４４の傾きを電気信号として出力し、その信号を受信した動力操作部４２の制御部４２ｂが、支柱４４が垂直な状態で立設されている場合にだけ係合部材４３が回転するように、駆動部４７に供給する電力を制御してもよい。
【符号の説明】
【０１３６】
２  支持脚
３  基礎床
４  フロアパネル
６  フリーアクセスフロア
７  高さ固定ボルト
１４  パネル支持台
１４ａ  下方筒状部
１４ｂ  上方筒状部
１４ｃ  メネジ部
１４ｄ  メネジ部
１４ｅ  メネジ孔
１６  脚部
１６ａ  ベースプレート
１６ｂ  支柱
１６ｃ  オネジ部
１８  支持部
１８ａ  支持面
１９  突起
２０  皿ボルト
２０ａ  頭部
２０ｂ  オネジ部
２１  レーザー光発生装置
２２  レーザー光
３０  支持脚レベル設定器
３１  本体部
３１ａ  停止信号
３２  結合部材
３３  係合部材
３３ａ  係合孔
３４  グリップ
３５  スイッチ
３６  受光部
３６ａ  受光窓
３７  駆動部
３７ａ  モーター
４０  支持脚レベル設定器
４１  本体部
４１ａ  減速信号
４１ｂ  停止信号
４２  動力操作部
４２ａ  スイッチ
４２ｂ  制御部
４２ｃ  電源部
４２ｄ  筐体
４２ｅ  装着具
４３  係合部材
４３ａ  ベース部
４３ｂ  回転軸部
４３ｃ  係合脚部
４４  支柱
４４ａ  グリップ
４４ｂ  接地部
４４ｃ  水準器
４４ｄ  スライドレール
４５  接続ケーブル
４６  可動部
４６ａ  背板
４６ｂ  側板
４６ｃ  台板
４６ｄ  スペーサー部材
４６ｅ  配線箱
４７  駆動部
４７ａ  モーター
４７ｂ  回転軸
４７ｃ  電源ケーブル
４８  センサー部
４８ａ  第１受光部
４８ｂ  第２受光部
４８ｃ  受光窓
４８ｄ  受光窓
４８ｅ  信号ケーブル
４９  スライド部材
４９ａ  軸部
４９ｂ  輪部
Ｄ  間隔
Ｈ  高さ位置
Ｌ１，Ｌ２，Ｌ３  距離
Ｓ１，Ｓ２  回転速度
【図１】
2020105873.tif 000003
【図２】
2020105873.tif 000004
【図３】
2020105873.tif 000005
【図４】
2020105873.tif 000006
【図５】
2020105873.tif 000007
【図６】
2020105873.tif 000008
【図７】
2020105873.tif 000009
【図８】
2020105873.tif 000010
【図９】
2020105873.tif 000011
【図１０】
2020105873.tif 000012
【図１１】
2020105873.tif 000013